(57)【要約】【課題】光線を利用した除毛の後に発熱による皮膚刺激を鎮静させて皮膚損傷を防止することができるうえ、除毛目的の他に様々な美肌用途で活用することができ、携帯性を向上させて使用し易くするようにした、除毛装置を提供する。【解決手段】光線照射部を備えた除毛器と冷却部を備えた冷却器からなり、除毛器と冷却器のそれぞれに、他方の冷却器または他方の除毛器のヘッドが収容されながら雌雄結合されるようにする収容部が形成され、除毛器と冷却器との相互着脱が可能であり、前記除毛器及び前記冷却器は、雌雄結合の際に互いに接触する電源接続端子が備えられており、前記除毛器及び前記冷却器の電源接続端子が互いに通電する場合、前記光線照射部の機能が完全オフになることを特徴とする除毛装置。【選択図】図１
2016097299.tif 000002
【特許請求の範囲】
【請求項１】
第１ボディと、光線照射部を有し且つ前記第１ボディの一側に備えられた第１ヘッドとからなる除毛器；および
第２ボディと、冷却部を有し且つ前記第２ボディの一側に備えられた第２ヘッドとからなる冷却器；を含んでなり、
前記除毛器または前記冷却器はそれぞれ、
他方の冷却器の第２ヘッドまたは他方の除毛器の第１ヘッドが収容されながら雌雄結合されるようにする収容部を含んでなり、除毛器と冷却器との相互着脱が可能であり、
前記除毛器及び前記冷却器は、雌雄結合の際に互いに接触する電源接続端子が備えられており、前記除毛器及び前記冷却器の電源接続端子が互いに通電する場合、前記光線照射部の機能が完全オフになることを特徴とする、除毛装置。
【請求項２】
前記冷却器は、前記第２ヘッドの後面に陥設された第２収容部が備えられて雌結合部として機能し、
前記除毛器は、前記第１ヘッドが前記第２収容部に挿入される雄結合部として機能することを特徴とする、請求項１に記載の除毛装置。
【請求項３】
前記除毛器は、前記第１ボディに前後に貫通して形成された第１収容部が備えられて雌結合部として機能し、
前記冷却器は、前記第２ヘッドの後面に突設された突出部が前記第１収容部に挿入される雄結合部として機能することを特徴とする、請求項１に記載の除毛装置。
【請求項４】
前記除毛器は、第１ボタン部が前記第１ボディの前面に備えられ、除毛器と冷却器とが結合されたときに冷却器によって前記第１ボタン部が覆われて隠され、
前記冷却器は、第２ボタン部が前記第２ボディの前面に備えられ、除毛器と冷却器とが結合されたときに前記第２ボタン部が露出することを特徴とする、請求項２に記載の除毛装置。
【発明の詳細な説明】
【技術分野】
【０００１】
本発明は、光線を利用した美肌に用いる光線照射装置、特に除毛装置において、光線を利用した除毛の後に発熱による皮膚刺激を鎮静させて皮膚損傷を防止することができるうえ、除毛目的の他に皮膚マッサージ、皮膚美白、角質除去などの様々な美肌用途で活用することができ、携帯性を向上させて使用し易くするように、光線照射部を備えた除毛器または冷却部を備えた冷却器のそれぞれに、他方の冷却器または他方の除毛器のヘッドが収容される収容部が形成されている除毛装置に関する。
【背景技術】
【０００２】
通常、除毛器は、人体の皮膚に生えてきた体毛、すなわち毛、毛髪などを除去するための装置をいうが、伝統的な除毛器としては、カミソリの刃を用いて体毛を剃るカミソリや、体毛を強制的に抜いて毛根を除去する脱穀機式強制除毛器などがある。
ところが、前記伝統的な除毛器は、体毛を物理的な方法で強制的に除去するものであり、カミソリは、毛根を除去することができないので継続的に除毛をしなければならない。そのため、完全な除毛を行うのには限界があり、強制除毛器は、除毛過程中にユーザーの痛みを誘発するため使用が不便であり、毛嚢の大きさが増加するなどの皮膚損傷を誘発するという問題点がある。
【０００３】
かかる問題点を解決するための除毛器に関する従来の技術として、光線を用いて除毛を行う除毛器があるが、これに関連した従来の技術として、特許文献１の「光線皮膚治療器」（以下、従来の技術１という。）がある。
前記従来の技術１は、波長５６０ｎｍ〜１１００ｎｍの光線を照射する除毛用ハンドピースを介して体毛の除去が行われるが、ハンドピースの作動のための本体が別途備えられているので携帯性が低下する。そのため、専門治療機関などでのみ使用が可能であって、一般ユーザーが容易に使用することができないという欠点がある。
また、前記従来の技術１は、除毛の後に光線によって皮膚が一定以上の高温に上昇したときにこれをすぐに解消することができない。そのため、皮膚に激しい刺激を引き起こす危険が高く、除毛の後に肌鎮静処置を適時に行わなければ皮膚が損傷してしまう結果をもたらすという問題点がある。
【０００４】
かかる問題点を解決するための従来の技術として、特許文献２の「光パルスを用いた携帯用除毛器」（以下、従来の技術２という。）がある。
前記従来の技術２は、光パルスを照射するために、本体の中空部に設置されたフラッシュランプを用いて体毛の除去が行われる。このとき、除毛器の中空部の内周面と外周面との間に冷却水が含まれるように本体に空き空間部が形成されており、除毛の際に発生する熱を解消する除毛器に関するものである。
【０００５】
ところが、前記従来の技術２は、冷却水を介して皮膚冷却が行われるため、携帯用除毛器に貯水された冷却水を用いた冷却効率が劣るうえ、長時間使用の際に冷却水自体の温度が一緒に上昇して冷却性能が低下するおそれがある。
また、前記従来の技術２は、水冷式冷却構造を持つため、これによる防水構造を実現することが難しい。特に電気、電子的な部品を介して除毛が行われるから、故障発生防止および感電などの事故を防止するためには非常に細密な防水構造を導入しなければならない。従って、製作が難しいうえ、冷却水に吸収された熱を効果的に解消することが難しく、除毛器の冷却機能の実現には限界がある。
【先行技術文献】
【特許文献】
【０００６】
【特許文献１】大韓民国登録実用新案第２０−０３６０１５０号
【特許文献２】大韓民国登録特許第１０−０８０１３７６号
【発明の概要】
【発明が解決しようとする課題】
【０００７】
本発明は、上述した問題点を解決するために案出されたもので、その目的は、除毛などの美肌中に発生した高熱を迅速かつ容易に解消して皮膚刺激を低減し、これによる皮膚損傷を未然に防止することができるように除毛器と冷却器を別々に使用することができるが、未使用時には、除毛器と冷却器を一体にして保管することができる除毛装置を提供することにある。
【０００８】
特に、本発明は、除毛装置の使用目的などに応じて除毛器および冷却器の構造を異ならせて製作することにより、ユーザーの便宜を向上させることができ、除毛器と冷却器との結合状態が強固に維持されると同時に、美麗な外観デザインを保障することができるように除毛器または冷却器の雌結合部として収容部が設けられ、締結される他方の冷却器または除毛器のヘッドが、前記収容部に挿入される雄結合部として機能することができる除毛装置を提供することを目的とする。
【０００９】
また、本発明は、除毛器と冷却器とを結合した状態で携帯・保管するときにユーザーの不注意などの原因によって除毛光線の意図せぬ照射が行われることを防止することができるように、除毛器と冷却器との雌、雄結合部の周りに備えられた電源接続端子が互いに接触して通電する場合には除毛器の光線照射部の機能が完全オフとなるようにする除毛装置を提供することにある。
【００１０】
それだけでなく、本発明は、除毛器および冷却器の両方を活用し、各機能の調節を介して除毛、皮膚マッサージ、皮膚美白、角質除去などの様々な美肌に活用することができる美肌のための多目的除毛装置を提供することを目的とする。
【課題を解決するための手段】
【００１１】
上記目的を達成するために、本発明に係る除毛装置は、第１ボディと、光線照射部を有し且つ前記第１ボディの一側に備えられた第１ヘッドとからなる除毛器；および第２ボディと、冷却部を有し且つ前記第２ボディの一側に備えられた第２ヘッドとからなる冷却器；を含んでなり、
前記除毛器または前記冷却器は、それぞれ、
他方の冷却器の第２ヘッドまたは他方の除毛器の第１ヘッドが収容されながら雌雄結合されるようにする収容部を含んでなり、除毛器と冷却器との相互着脱が可能であり、
前記除毛器及び前記冷却器は、雌雄結合の際に互いに接触する電源接続端子が備えられており、前記除毛器及び前記冷却器の電源接続端子が互いに通電する場合、前記光線照射部の機能が完全オフになることを特徴とする。
【００１２】
また、本発明に係る除毛装置において、前記冷却器は、前記第２ヘッドの後面に陥設された第２収容部が備えられて雌結合部として機能し、
前記除毛器は、前記第１ヘッドが前記第２収容部に挿入される雄結合部として機能することを特徴とする。
【００１３】
また、本発明に係る除毛装置において、
前記除毛器は、前記第１ボディに前後に貫通して形成された第１収容部が備えられて雌結合部として機能し、
前記冷却器は、前記第２ヘッドの後面に突設された突出部が前記第１収容部に挿入される雄結合部として機能することを特徴とする。
【００１４】
また、本発明に係る除毛装置において、
前記除毛器は、第１ボタン部が前記第１ボディの前面に備えられ、除毛器と冷却器とが結合されたときに冷却器によって前記第１ボタン部が覆われて隠され、
前記冷却器は、第２ボタン部が前記第２ボディの前面に備えられ、除毛器と冷却器とが結合されたときに前記第２ボタン部が露出することを特徴とする。
【発明の効果】
【００１５】
本発明に係る除毛装置は、除毛や皮膚マッサージなどの美肌のために光線が照射される除毛器とは別個に、冷却性能に優れた放熱構造で製作された冷却器を導入し、除毛の後に冷却器を用いて皮膚の熱をすぐに解消することができる。従って、高熱による皮膚損傷を防止することができ、皮膚冷却のために水冷式冷却構造などの強制冷却方式を採用せずに、皮膚接触を介して吸熱による自然な冷却構造を提供することにより、急冷による追加の皮膚刺激を誘発しないという利点がある。
【００１６】
特に、本発明に係る除毛装置は、除毛器と冷却器が収容部を介して互いに収容される構造を導入し、除毛装置を使用しないときは除毛器と冷却器を一つに結合して保管できるので、携帯性に優れる。そのうえ、使用中には除毛器と冷却器を分離した状態で別途の組立などを必要とすることなく除毛器と冷却器をすぐに使用することができるので、除毛の後に急速冷却が可能であって皮膚鎮静効果に優れると同時に、使用が便利であってユーザーの便宜性を増大させることができる。
【００１７】
さらに、本発明に係る除毛装置は、除毛器と冷却器の機能を調節して使用することができるので、単純な除毛機能だけでなく、皮膚マッサージ、皮膚美白、角質除去などの様々な美肌のための光線照射器として活用することができる。従って、汎用性および効用性に優れる。
【００１８】
また、本発明に係る除毛装置は、除毛器と冷却器に雌結合部としての収容部が備えられ、除毛器と冷却器のヘッドがそれぞれ前記収容部に挿入される雄結合部として機能することにより、除毛装置の結合が強固に維持でき、人体工学的な設計の除毛器と冷却器の本来の形状が維持されたままで結合されて保管されるので、使用が便利であるうえ、美麗な外観デザインを提供してユーザーの美的感覚を満たすことができるという効果がある。
【００１９】
しかも、本発明に係る除毛装置は、除毛器と冷却器とが結合された状態で除毛器の光線照射部の機能が完全オフになるので、ユーザーの不注意などにより光線が照射されないため、除毛装置がユーザーの意図に関係なく誤作動することを防止することにより、除毛器と冷却器の故障や損傷が誘発されることを防止することができる。
【図面の簡単な説明】
【００２０】
【図１】本発明に係る除毛装置の第１実施形態を示す結合斜視図である。
【図２】本発明に係る除毛装置の第１実施形態を示す分解斜視図である。
【図３】本発明に係る除毛装置の第１実施形態の冷却器を個別的に示す斜視図である。
【図４】本発明に係る除毛装置の第１実施形態の冷却器を個別的に示す斜視図である。
【図５】本発明に係る除毛装置の第１実施形態の除毛器を個別的に示す斜視図である。
【図６】本発明に係る除毛装置の第１実施形態の除毛器を個別的に示す斜視図である。
【図７】本発明に係る除毛装置の第２実施形態を示す結合斜視図である。
【図８】本発明に係る除毛装置の第２実施形態を示す分解斜視図である。
【図９】本発明に係る除毛装置の第２実施形態の除毛器を個別的に示す斜視図である。
【図１０】本発明に係る除毛装置の第２実施形態の除毛器を個別的に示す斜視図である。
【図１１】本発明に係る除毛装置の第２実施形態の冷却器を個別的に示す斜視図である。
【図１２】本発明に係る除毛装置の第２実施形態の冷却器を個別的に示す斜視図である。
【発明を実施するための形態】
【００２１】
本発明は様々な変更を加えることができ、様々な形態を持つことができるので、以下、実施態様（または実施形態）を本文に詳細に説明する。ところが、これは本発明を特定の開示形態に限定しようとするものではなく、本発明の思想及び技術範囲に含まれる変更、均等物及び代替物はいずれも本発明に含まれるものと理解すべきである。
本明細書における「第１」、「第２」などは、互いに異なる構成要素であることを区分するためのものに過ぎず、製造された順序に拘らず、発明の詳細な説明および請求の範囲でその名称が一致しないこともある。
【００２２】
説明に先立ち、本明細書において、除毛装置または光照射器の本質は、光線照射を介して除毛だけでなく美肌に使用するすべての装置を包括するもので、説明の便宜のために、除毛装置または光線照射装置を混用して説明する。
本発明において、除毛器を介して照射される光線の概念は、光線を利用した除毛、皮膚マッサージなどのすべての美肌に使用される無形のエネルギーを包括する概念であって、代表的には超音波、レーザー、光パルス（ＩＰＬ；Ｉｎｔｅｎｓｉｖｅ  Ｐｕｌｓｅ  Ｌｉｇｈｔ）などがある。以下、説明の便宜のために、除毛の目的で活用される光線を代表して説明する。
【００２３】
超音波を用いた除毛方式は、各種の手術や施術などに使用される超音波を皮膚に照射して体毛の毛根を除去する方式であり、レーザーを用いた除毛方法は、特定の媒質から出てくる特定の波長帯の光を用いて体毛の毛根を除去する方式であり、光パルスを用いた除毛方法は、一定の範囲の波長帯域を有する光を周期的パルスとして放出させて体毛の毛根を除去する方式である。
【００２４】
このように多様な形態の光線を利用した除毛方法は、代表的に光線が皮膚のメラニン色素に吸収されながら熱エネルギーに変わって体毛の毛根を破壊する形で行われるが、光線放出による高熱が発生し、長時間露光の際に皮膚組織に刺激を誘発して皮膚が損傷するおそれがある。
これにより、光線照射を用いた除毛の後に、これに伴って適切な後続措置を取ってユーザーの皮膚を冷却、安定させて刺激を解消することが必要であるが、本発明は、冷却器を用いて冷却部２３の皮膚接触を介して発熱を吸収して放熱させることにより、前述の問題点を解決した。
【００２５】
次に、本発明に係る除毛器と冷却器からなる除毛装置Ｌを添付図面に基づいて説明する。
第１実施形態の結合斜視図および分離斜視図を示す図１および図２、第１実施形態の除毛器と冷却器を個別的に示す図３、図４、図５および図６、第２実施形態の結合斜視図および分離斜視図である図７および図８、並びに第２実施形態の除毛器と冷却器を個別的に示す図９、図１０、図１１および図１２に示すように、本発明に係る除毛装置は大きく除毛機能のための除毛器１０と冷却機能のための冷却器２０とから構成され、前記除毛器１０または冷却器２０はそれぞれ他方の冷却器または除毛器のヘッドが収容される収容部を含む。
【００２６】
前記除毛器１０および前記冷却器２０は、それぞれ光線照射と冷却作動を制御するための制御部（図示せず）が内蔵されるボディと、
前記制御部の制御に応じて光線が出力されて照射される光線照射部１３、および皮膚に接触して熱を吸収する冷却部２３を備えたヘッドとから構成される。
以下、説明の便宜のために、同じ名称の構成について除毛器１０の構成を「第１〜」、冷却器２０の構成を「第２〜」とそれぞれ区分して説明する。
【００２７】
本発明は、前記ボディとヘッドの具体的な構成および構造によって、図１〜図６に示した第１実施形態と、図７〜図１２に示した第２実施形態に区分される。次に、第１、第２実施形態の具体的な構成および構造を順次説明するが、説明の便宜のために、第１、第２実施形態で共通して適用される事項は、図面に同一の符号を付して第２実施形態の説明では省略する。
【００２８】
まず、図１〜図６を参照して、本発明の第１実施形態を具体的に説明すると、前記除毛器１０は、第１ボディ１１Ａの一側に第１ヘッド１２Ａが備えられて全体外観を形成し、前記第１ヘッド１２Ａの前面が開口して光線照射部１３が露出する。
第１実施形態における第１ボディ１１Ａは、ユーザーが容易に把持して使用することができるように流線型ボディを有し、第１ボディ１１Ａの内部には第１制御部（図示せず）が内蔵されており、第１制御部は前記光線照射部１３の光線照射のオン／オフおよび光線の出力量を調節することができる。
【００２９】
このため、前記第１ボディ１１Ａの一面には第１ボタン部１４が備えられるが、第１実施形態の場合、第１ボタン部１４が第１ボディ１１Ａの前面に備えられ、除毛器１０と冷却器２０とが結合されたときに冷却器２０によって第１ボタン部１４が覆われて隠され、ユーザーが意図せぬ操作を行うことができないようにすることが好ましい。
図示してはいないが、前記第１ボタン部１４は、除毛器１０の電源をオン／オフにするパワーボタン、光線照射をオン／オフにする出力ボタン、および光線照射の出力量を調節する調節ボタンなどを含むことができる。
【００３０】
また、前記第１ボディ１１Ａには、外部電力を充電して使用することができるようにする充電池（図示せず）が内蔵されていることが好ましい。
充電池の充電と同時に外部電力ソケットにプラグを接続して外部電力を直接印加して除毛器１０を使用し、様々な種類のプラグを用いて外部電力の供給を受けることができるように、第１ボディ１１Ａの一側には充電池に接続されたＵＳＢ端子部Ｕが備えられることがより好ましい。
【００３１】
この他に、前記第１ヘッド１２Ａには光線照射部１３の周りに沿って皮膚接触感知センサー（図示せず）が備えられ、前記第１ボディ１１Ａには、前記光線照射部１３へ光線が出力されるようにする光線ランプを含む光線出力手段（図示せず）、および前記皮膚接触感知センサーに連動したセンシング手段（図示せず）などをさらに内蔵できる。
【００３２】
このような除毛器１０に関連した光線出力手段およびセンシング手段は、公知の技術であって、代表的に、本発明の出願人が登録を受けた大韓民国登録特許第１０−１４２６５３９号（２０１４年７月２９日）の「作動安定性が向上した除毛器」、大韓民国登録特許第１０−１４０３３３１号（２０１４年５月２８日）の「光線およびクーリングカートリッジの交換が可能なポータブル除毛器」に開示された構成が採用できる。それだけでなく、後述の冷却器２０に関連して、前記登録特許に開示されている冷却機能のための冷却手段の構成が採用できる。このような具体的な構成は公知の技術であって、本発明の核心を集中的に説明するために、これについての具体的な説明は便宜上省略するものとする。
【００３３】
次に、第１実施形態における冷却器２０は、第２ボディ２１Ａの一側に第２ヘッド２２Ａが備えられて全体外観を形成し、前記第２ヘッド２２Ａの前面には冷却部２３が露出するように備えられる。
【００３４】
前記第１実施形態における第２ボディ２１Ａは、前記第１ボディ１１Ａと同様に、ユーザーが容易に把持して使用することができるように有線型ボディを有し、第２ボディ２１Ａの内部には第２制御部（図示せず）が内蔵され、該第２制御部によって冷却部２３の吸熱、放熱および冷却温度を調節することができる。
【００３５】
前記第２ボディ２１Ａの第２ボタン部２４は第２ボディ２１Ａの前面に備えられるが、前記第１ボタン部１４とは異なり、除毛器１０と冷却器２０とが結合されたときに第２ボタン部２４が露出することにより、 除毛器と冷却器との結合状態で冷却器２０の冷却機能を使用することができる。
前記第２ボタン部２４は、冷却器２０の電源をオン／オフにするパワーボタン（図示せず）、冷却部２３の吸熱および放熱をオン／オフにする冷却ボタン（図示せず）、並びに冷却温度を調節する調節ボタン（図示せず）などを含むことができる。
また、前記第２ボディ２１Ａには外部電力を充電して使用することができるようにする充電池（図示せず）が内蔵されるが、第１ボディ１１Ａとは異なり、第２ボディ２１ＡにはＵＳＢ端子部が備えられず、後述の電源接続端子１７、２７の接続を介して除毛器１０から外部電力の供給または充電を受ける。
【００３６】
前記冷却部２３は、皮膚に直接接触して熱を吸収し、冷却器２０に内蔵された熱電素子を利用して、吸収された熱を放熱して冷却するものである。
代表的な熱電素子としてペルチェ素子が使用でき、ペルチェ素子を始めとする冷却手段の具体的な構成は本発明の出願人の前記登録特許の構成が採用できるのは前述したとおりである。
【００３７】
前述のように、本発明は、光線照射および冷却機能が個別的に実現される除毛器１０と冷却器２０とが収容部を介して互いに結合されることにより、除毛器１０から冷却器２０を脱着することができ、これにより除毛器１０と冷却器２０が互いに分離された状態で個別作動が可能であると同時に、除毛器と冷却器との結合状態で冷却器２０のみが作動できることに特徴がある。
【００３８】
すなわち、除毛器１０と冷却器２０を分離して別々に使用することにより、除毛の後にすぐに皮膚を冷却して冷却前の時間を最小化し、その結果として皮膚の損傷を防止するとともに、
除毛器１０と冷却器２０とを結合した状態では、冷却器２０のみを用いて冷却マッサージを通じての様々な美肌を施し、この場合、除毛器１０の光線照射部１３の機能が完全オフとなって意図せぬ光線照射を根本的に遮断することができる。
したがって、本発明の除毛装置は、単純除毛だけでなく、光線出力調節および冷却温度調節を用いて様々な美肌効果を期待することが可能な多目的光線照射器として機能し、従来の単純除毛器を脱皮して美肌のための光線照射器として、様々な機能を提供することができる。
【００３９】
上記目的を達成するために、除毛器１０と冷却器２０との雌雄締結が行われるように、本発明の第１実施形態において、前記冷却器２０の第２ヘッド２２Ａの後面に陥設された第２収容部２５が雌結合部として機能し、
前記除毛器１０の前記第１ヘッド１２Ａは前記第２収容部２５に挿入される雄結合部として機能する。
【００４０】
すなわち、本発明において、除毛器１０と冷却器２０とが互いに雌雄締結されるという意味は、分離された２つの部材のうち、いずれか一方の部材の一部または全部が他方の部材に挿嵌される構造、または２つの部材の部材が互いに接する部位にそれぞれ突起および嵌合孔などが備えられて２つの部材間の雌雄締結が行われる構造など、様々な方式を包括する概念である。
【００４１】
本発明の第１実施形態は、除毛器１０の第１ヘッド１２Ａが冷却器２０の第２収容部２５に挿入されることにより実現される雌雄締結構造を導入して、相互間の強固な結合を可能とした。
【００４２】
第１実施形態において、除毛器１０と冷却器２０とが結合された状態では、第２収容部２５に第１ヘッド１２Ａが挿入されて密閉されるので、冷却部２３に吸収された熱を放熱するための放熱孔２２ａは、第２ヘッド２２Ａの後面を除いた他の一面に形成されることが好ましく、図面では第２ヘッド２２Ａの上面に放熱孔が備えられていることを確認することができる。
このとき、前記第１ヘッド１２Ａの後面上にはフック締結方式などを用いて第１ヘッド１２Ａが第２収容部２５から離脱しないようにする締結ボタン１８が備えられ、締結ボタン１８を押圧する場合にのみ、雄結合部としての第１ヘッド１２Ａが雌結合部としての第２収容部２５から分離、離脱するようにすることができる。
【００４３】
また、前記第１ヘッド１２Ａは、光線照射部１３の周りに沿って突起（または嵌合孔）（図示せず）からなる脱着部１９が備えられてもよく、前記第２ヘッド２２Ａは、第２収容部２５の周りに沿って前記脱着部１９に対応する嵌合孔（または突起）（図示せず）からなる対応脱着部２９が備えられてもよい。
このような突起と嵌合孔との雌雄結合構造は、締り嵌め方式で行われるか、或いは前記締結ボタン１８を用いたフック締結方式に連動する構造で行われ得る。
【００４４】
次に、図７〜図１２を参考にして本発明の第２実施形態を説明する。第２実施形態は、第１実施形態と具体的な雌雄結合構造以外は大同小異なので、重複した説明を省略するものとする。
【００４５】
まず、第２実施形態における除毛器１０は、平たい円形の第１ボディ１１Ｂと、前記第１ボディ１１Ｂの一側縁に備えられた第１ヘッド１２Ｂとから構成され、光線照射部１３を備えた第１ヘッド１２Ｂが、除毛器１０を立設させるための受け部として活用される。
【００４６】
次に、第２実施形態における冷却器２０は、前記第１ボディ１１Ｂと同様の平たい円形の第２ボディ２１Ｂと、前記第２ボディ２１Ｂの一側に備えられる第２ヘッド２２Ｂとから構成される。但し、第２ヘッド２２Ｂが第２ボディ２１Ｂの一面（より具体的には前面；図面上の下面）に備えられ、冷却部２３が第２ボディ２１Ｂの一部の領域に設けられるという点で第１実施形態と相違し、これは冷却部２３の面積が第１実施形態よりも広く形成されるという点でメリットがある。
【００４７】
第２実施形態において、前記除毛器１０は、前記第１ボディ１１Ｂに前後方に貫通して形成された第１収容部１５が備えられており、
前記冷却器２０は、前記第２ヘッド２２Ｂの後面に突設された突出部２６が備えられており、
前記突出部２６が前記第１収容部１５に挿嵌されることにより除毛器１０と冷却器２０との雌雄結合構造が形成される。
すなわち、第２実施形態では、前記第１収容部１５が雌結合部であり、前記第２ヘッド２２Ｂの後面に突設された突出部２６が雄結合部である。
【００４８】
また、前記除毛器１０は、第１ボディ１１Ｂの前面中央に陥設される収納部１６が備えられ、前記収納部１６が前記第１収容部１５に連通しており、除毛器１０と冷却器２０とが結合されるとき、突出部２６は前記第１収容部１５に挿入されて装着され、これと同時に冷却器２０の第２ボディ２１Ｂと第２ヘッド２２Ｂが前記収納部１６に挿入されて装着される形で結合されて除毛器１０と冷却器２０との雌雄結合構造が完成する。
【００４９】
この場合、前記第１収容部１５は、除毛器１０から冷却器２０を分離したときにユーザーが把持することが可能なハンドルとして活用できる。よって、第１収容部１５と第１ヘッド１２Ｂ（すなわち、光線照射部１３）は、互いに対向する方向に備えられることが好ましい。
【００５０】
また、前記除毛器１０は、収納部１６と第１収容部１５によって前面が開口した形状を持ち、第２実施形態における第１ボディ１１Ｂには第１ボタン部１４が第１ボディ１１Ｂの後面に備えられるため、第１実施形態とは異なり、除毛器１０と冷却器２０との結合状態でも第１ボタン部１４が外部に露出される。これは後述の電源接続端子１７、２７の通電を用いて光線照射部１３の機能が完全オフとなるようにすることにより、意図せぬ光線照射を防止することができる。
【００５１】
一方、本発明は、前述したように、除毛器１０と冷却器２０とが結合されたときに除毛器１０を用いて冷却器２０の電源供給および充電が行われるので、このために、前記除毛器１０および前記冷却器２０は、該当雌、雄結合部（第１実施形態では第２収容部２５と第１ヘッド１１Ａ、第２実施形態では第１収容部１５と第２ヘッド２２Ｂの突出部２６）の周りに雌雄結合時に互いに接触する電源接続端子１７、２７がそれぞれ備えられる。
【００５２】
これは、本発明のように、収容部とヘッドとの雌、雄結合構造を採用したとき、除毛器１０と冷却器２０との実質的な結合が、ヘッドが収容部に完全挿入される場合にのみ行われることに起因したもので、
除毛器１０と冷却器２０の雌、雄結合部の周りに電源接続端子１７、２７が備えられるようにすることにより、除毛器１０と冷却器２０とが実質的に結合されて電源接続端子１７、２７が互いに通電する場合、前記光線照射部１３の機能が完全オフとなるようにするための構成である。
【００５３】
電源接続端子１７、２７の通電の際に光線照射部１３の機能が完全オフになる方式は、除毛器１０の電源供給部（充電池）と光線ランプとの間にリレーを設置して前記第１制御部が通電を感知すると、リレーがオン／オフ作動して光線ランプへの電源供給を完全遮断する方式、
或いは、光線照射部１３の出力ボタンに遮断部材が設けられて前記第１制御部が通電を感知すると、遮断部材が前記出力ボタンの作動を物理的に遮断する方式、
或いは、前記第１制御部が通電を感知すると、出力ボタンが押されても、伝達される出力信号を無視して電気的に遮断する方式などが考慮できる。
【００５４】
したがって、本発明は、除毛器１０と冷却器２０とが結合されたとき、すなわち、冷却器２０のみを使用する場合、除毛器１０からの意図せぬ光線照射を防止することができる。
前記電源接続端子１７、２７はそれぞれ除毛器１０と冷却器２０で外側に弾支されるなど、締結の際に端子間の接触を確保することが可能な構成であれば足りる。
【００５５】
以上、本発明を説明するにあたり、添付図面を参照して、特定の形状と構造を持つ除毛器と冷却器からなる除毛装置を中心に説明したが、本発明は当業者によって様々な修正、変更および置換が可能であり、それらの修正、変更および置換も本発明の保護範囲に属するものと解釈されるべきである。
【符号の説明】
【００５６】
１０    除毛器
１１Ａ、１１Ｂ    第１ボディ
１２Ａ、１２Ｂ    第１ヘッド
１３    光線照射部
１４    第１ボタン部
１５    第１収容部
１６    収納部
１７    電源接続端子
１９    脱着部
２０    冷却器
２１Ａ、２１Ｂ    第２ボディ
２２Ａ、２２Ｂ    第２ヘッド
２３    冷却部
２４    第２ボタン部
２５    第２収容部
２６    突出部
２７    電源接続端子
２９    対応脱着部
【図１】
2016097299.tif 000003
【図２】
2016097299.tif 000004
【図３】
2016097299.tif 000005
【図４】
2016097299.tif 000006
【図５】
2016097299.tif 000007
【図６】
2016097299.tif 000008
【図７】
2016097299.tif 000009
【図８】
2016097299.tif 000010
【図９】
2016097299.tif 000011
【図１０】
2016097299.tif 000012
【図１１】
2016097299.tif 000013
【図１２】
2016097299.tif 000014